(57)【要約】【課題】二次電子・反射電子の大角度偏向を実現すると共に、電磁偏向器と静電偏向器のノイズを打ち消して一次ビーム/二次ビーム分離回路の回路ノイズが起因する一次電子ビームの位置ずれを抑制する荷電粒子ビーム装置を用いた処理装置及び処理方法を提供する。【解決手段】ステージに載置した試料上に集束させた電子ビームを照射して走査する電子光学系を備えて試料を撮像する荷電粒子ビーム装置では、検出器へ入射させる二次電子/反射電子の軌跡を制御する重畳電磁偏向器制御手段において、静電偏向器を発生する静電偏向器へ印加する電圧源制御信号の基準信号や信号生成部と、静磁場を発生する電磁偏向器へ印加する電流源制御信号の基準信号や信号生成部と共通化することと、電圧制御信号の周波数特性および位相特性と、電流源制御信号の周波数特性および位相特性と一致することを含む。【選択図】図１
2018029089.tif 000002
【特許請求の範囲】
【請求項１】
荷電粒子ビームを生成する荷電粒子銃と、
該荷電粒子銃から放出された荷電粒子ビームをステージに載置した試料上に照射して走査する電子光学系と、
前記試料から発生する二次電子、または反射電子を含む検出対象電子を検出する検出部と、
前記検出対象電子の進路を第１の方向に偏向させる第１の磁界偏向器及び第１の電界偏向器と、
前記検出対象電子の進路を第２の方向に偏向させる第２の磁界偏向器及び第２の電界偏向器と、
制御回路と、を有する荷電粒子ビーム装置であって、
前記制御回路は、
第１の電圧発生部と、
第２の電圧発生部と、
前記第１の電圧発生部から第１の電圧を供給され、前記第１の磁界偏向器に電流を供給する第１の磁界駆動電流源回路と、
前記第２の電圧発生部から第２の電圧を供給され、前記第２の磁界偏向器に電流を供給する第２の磁界駆動電流源回路と、
前記第１の電界偏向器に電流を供給する第１の電界駆動電圧源回路と、
前記第２の電界偏向器に電流を供給する第２の電界駆動電圧源回路と、
前記第１の電圧を供給される、第１のゲイン調整部と、
前記第２の電圧を供給される、第２のゲイン調整部と、
前記第２の電圧を供給される、第３のゲイン調整部と、
前記第１の電圧を供給される、第４のゲイン調整部と、
を有し、
前記第１の電界駆動電圧源回路は、前記第１のゲイン調整部が供給する電圧と、前記第２のゲイン調整部が供給する電圧と、を加算した電圧を供給され、
前記第２の電界駆動電圧源回路は、前記第３のゲイン調整部が供給する電圧と、前記第４のゲイン調整部が供給する電圧と、を加算した電圧を供給されることを特徴とする荷電粒子ビーム装置。
【請求項２】
請求項１に記載の荷電粒子ビーム装置であって、
前記第２のゲイン調整部及び前記第４のゲイン調整部は、前記第１の磁界偏向器、前記第１の電界偏向器、前記第２の磁界偏向器、及び第２の電界偏向器、各々の製造又は実装誤差に基づいて各々のゲインが定められることを特徴とする荷電粒子ビーム装置。
【請求項３】
請求項１又は２に記載の荷電粒子ビーム装置であって、
前記第２のゲイン調整部及び前記第４のゲイン調整部の各々のゲインは、前記第１の磁界偏向器、前記第１の電界偏向器、前記第２の磁界偏向器、及び第２の電界偏向器、に発生し得る回転効果に基づいて定められることを特徴とする荷電粒子ビーム装置。
【発明の詳細な説明】
【技術分野】
【０００１】
本発明は、半導体基板（ウェハ）などの試料（対象物）の計測、あるいは観察、または検査などの処理を行う計測検査装置、及びそれを用いて計測、または検査などを行う計測検査方法に関し、特に、荷電粒子装置の一つとして走査型電子顕微鏡装置（以下、ＳＥＭと略す）を用いて試料を撮像し、計測、あるいは観察、または検査を行う処理装置、及びその計測・検査方法に関する。
【背景技術】
【０００２】
半導体製造プロセスにおいて、半導体基板（ウェハ）上に形成される回路パターンの微細化が急速に進んでおり、それらのパターンが設計通りに形成されているか否か等を監視するプロセスモニタリングの重要性が益々増加している。例えば、半導体製造プロセスにおける異常や不良（欠陥）の発生を早期に、あるいは事前に検知するために、各製造工程の終了時にウェハ上の回路パターン等の計測及び検査が行われる。
【０００３】
上記計測・検査の際、走査型電子ビーム方式を用いたＳＥＭなどの計測検査装置及び対応する計測検査方法においては、対象のウェハなどの試料に対して一次電子ビーム（電子線）を走査（スキャン）しながら照射し、これにより発生する二次電子・反射などのエネルギーを検出する。そして、その検出に基づき信号処理・画像処理などにより画像（計測画像や検査画像）を生成し、当該画像に基づいて計測、観察又は検査が行われる。
【０００４】
前記走査型電子ビーム方式を用いた計測装置においては、試料から発生する二次電子・反射電子（二次ビーム）を高効率的に検出するため、二次電子・反射電子を検出器の方に偏向する必要がある。一方、二次ビームを所定の方向に偏向する手段が一次ビームに影響を及ぼすと、一次ビームが試料上の照射位置ずれが発生し、装置の計測精度を劣化する。そのために、二次電子ビームと言う二次電子・反射電子を検出器の設置方向へ偏向し、且つ試料の所定位置に照射する一次ビームを偏向しない一次ビーム・二次ビームの分離手段が必要である。
【０００５】
上記計測・検査および一次電子ビーム・二次電子ビーム分離制御に係わる先行技術例として、特開２００６−３３２０３８号公報（特許文献１）に記載された技術がある。
【０００６】
特許文献１では、高分解能化可能な電磁界重畳型対物レンズにおいて、試料から発生する二次電子を加速して対物レンズによる回転作用の二次電子エネルギー依存性を抑制し、電子源と対物レンズの間に設けた環状検出器で二次電子の発生箇所から見た仰角の低角成分と、高角成分を選別、さらに方位角成分も選別して検出する際、加速によって細く収束された二次電子の中心軸を低仰角信号検出系の中心軸に合わせると共に、高仰角信号検出系の穴を避けるようにＥｘＢで二次電子を調整・偏向することについて記載されている。
【先行技術文献】
【特許文献】
【０００７】
【特許文献１】特開２００６−３３２０３８号公報
【発明の概要】
【発明が解決しようとする課題】
【０００８】
ＳＥＭによる計測装置では、計測対象であるウェハ上に形成される回路パターンの微細化と材料の多様化に伴い、計測精度の分解能向上と深溝・穴の見え改善が要求されている。分解能の向上には、一次電子ビームの走査精度向上、つまり一次電子ビームの走査位置ずれの低減を要求される。深い溝・深い穴の見え改善には、二次電子・反射電子の高効率検出をするため、二次ビームの高角度（大角度）偏向が必要である。つまり、二次ビームを偏向する電界・磁界を大きくする高電圧・大電流の制御回路は必須である。
【０００９】
前掲の特許文献１には、一次電子ビーム・二次電子ビーム分離制御に関して、直交電磁界発生器による一次電子線への影響を相殺し且つ二次電子を検出器側に導くように電界と直交する方向に磁界を発生させる方法などについて記載されている。しかし、電界偏向器を制御する電圧源回路と磁界偏向器を制御電流源回路において、回路構成素子で発生した回路ノイズが一次電子ビームの走査位置ずれを発生させる問題に関する解決手段などは開示されていない。
【００１０】
そこで、本発明は、二次電子・反射電子の大角度偏向を実現すると共に、電磁偏向器と静電偏向器のノイズを打ち消して一次ビーム/二次ビーム分離回路の回路ノイズが起因する一次電子ビームの位置ずれを抑制する走査型電子顕微鏡を用いた処理装置及び処理方法を提供するものである。
【課題を解決するための手段】
【００１１】
上記した課題を解決するために、本発明の荷電粒子ビーム装置の主な特徴は、以下の通りである。
【００１２】
荷電粒子ビームを生成する荷電粒子銃と、該荷電粒子銃から放出された荷電粒子ビーム
をステージに載置した試料上に照射して走査する電子光学系と、試料から発生する二次電
子、または反射電子を検出する検出部と、二次電子、または反射電子の進路を検出部の方
向へ偏向させる直交電磁偏向部と、を有し、直交電磁偏向部は、磁界を発生させて荷電粒
子ビームの軌跡を変化させる磁界偏向器と、電界を発生させて荷電粒子ビームの軌跡を変
化させる電界偏向器と、磁界偏向器に電流を供給する電流源回路と、電界偏向器に電圧を
供給する電圧源回路と、電流と電圧との関係を調整するゲイン調整部とを備え、磁界偏向
器と電界偏向器は、磁界と前記電界とが互いに直交し重畳するように配置され、電流源回
路に電圧を印加する電圧発生部と、電圧源回路に電圧を印加する電圧発生部とが一つに共
通化され、ゲイン調整部により、磁界により進路が偏向される量と電界により進路が偏向
される量とが一致するように、電流と電圧との関係が調整されることを特徴とする。
【００１３】
上記構成によれば、本発明による荷電粒子ビーム装置は、高スループットと高分解能に対応した計測を制御する機能を有すると共に、その際に課題となる、電子ビームを偏向する電界偏向器を制御する電圧源回路と磁界偏向器を制御電流源回路において、回路構成素子で発生した回路ノイズが一次電子ビームの走査位置ずれを発生させる問題に関する解決手段を提供する。
【００１４】
即ち、本発明では、分解能とスループットの向上を図るために電流制御コイルで発生する磁界と電圧制御で発生する電界を直交する電磁重畳偏向器(以下、直交電磁偏向器と呼ぶ)による一次電子ビームの走査位置ずれ課題を解決する方策として、静電場を発生する静電偏向器へ印加する電圧源制御信号生成部と、静磁場を発生する電磁偏向器へ印加する電流源制御信号生成部と共通化することと、電圧制御信号の周波数特性および位相特性と電流源制御信号の周波数特性および位相特性と一致することを設けた。これにより回路ノイズに起因する一次電子ビームずれを低減し、高分解能と高スループットな計測を実現した。
【発明の効果】
【００１５】
本発明によれば、二次電子・反射電子の大角度偏向を実現すると共に、電磁偏向器と静電偏向器のノイズを打ち消して一次ビーム/二次ビーム分離回路の回路ノイズが起因する一次電子ビームの位置ずれを抑制する走査型電子顕微鏡を用いた処理装置及び処理方法を提供することができる。
【図面の簡単な説明】
【００１６】
【図１】本発明の実施例１に係る直交電磁偏向器と直交電磁偏向器の制御回路との組合せを示すブロック図である。
【図２】本発明の実施例２に係る２段直交電磁偏向器と直交電磁偏向器の制御回路に用いた装置の概略の構成を示すブロック図である。
【図３】本発明と従来の走査型電子ビーム方式の半導体の計測検査装置に係る直交電磁偏向器の電界電極、磁界コイル構成と一次ビーム・二次ビームの俯瞰図を示すブロック図である。
【図４】従来の走査型電子ビーム方式の半導体の計測検査装置に係るＸ方向直交電磁偏向器構成と二次ビームの偏向力を示すブロック図である。
【図５】従来の走査型電子ビーム方式の半導体の計測検査装置に係るＸ方向直交電磁偏向器構成と一次ビームの偏向力を示すブロック図である。
【図６】従来の走査型電子ビーム方式の半導体の計測検査装置に係るＸ方向直交電磁偏向器の制御回路ノイズを示すブロック図である。
【図７】従来の走査型電子ビーム方式の半導体の計測検査装置に係るＸ方向直交電磁偏向器の制御回路ノイズと一次ビームの偏向力を示すブロック図である。
【図８】従来の走査型電子ビーム方式の半導体の計測検査装置を含んで成るシステム全体の構成を示すブロック図である。
【図９】本発明の実施例２に係る２段直交電磁偏向器と直交電磁偏向器の制御回路の構成を示すブロック図である。
【図１０】本発明の実施例３に係る直交電磁偏向器の制御回路の構成を示すブロック図である。
【図１１】本発明の実施例４に係る直交電磁偏向器の制御回路の構成を示すブロック図である。
【発明を実施するための形態】
【００１７】
以下、図面に基づき、本発明の実施の形態を詳細に説明する。なお実施の形態を説明するための全図において同一部には原則として同一符号を付し、その繰り返しの説明は省略する。以下、計測観察検査装置及び計測観察検査方法とは、計測、観察、検査のうちの何れか一つ又はそれらを組み合わせた場合を含む。
【００１８】
本発明になる走査型電子ビーム方式の計測検査装置は、図８に示す従来の走査型電子ビーム方式を用いた計測検査装置(システム)を基本構成にし、当該装置構成に本発明になる直交電磁偏向器の制御回路の構成を採り込んでいる。そこで、先ず、図８のシステム構成について説明する。
【００１９】
従来の計測検査装置(システム)は、大きくは、走査型電子顕微鏡８００とコンピュータ８２０とで構成されている。
【００２０】
走査型電子顕微鏡８００は、鏡筒８３０と試料室８４０を備え、鏡筒８３０の内部には、照射系（電子光学系）として、電子ビームＡ２１を射出する電子銃８０１、射出された電子ビームＡ２１が通る集束レンズ（第１コンデンサレンズ）８０２、絞り８０３、集束レンズ（第２コンデンサレンズ）８０４、ブランキング制御電極８０５、アパーチャ８０６、偏向電極８０８、対物レンズ８０９等が備えられている。また鏡筒８３０には、検出系として、照射された電子ビームＡ２１（Ａ２４）により試料８１０から発生した二次電子Ａ２１１を検出する検出器８０７を備える。また一次ビームと二次ビームの分離手段として、直交電磁界発生器（ＥｘＢ）８１６を備える。
【００２１】
コンピュータ８２０には、全体制御部８２４と、ブランキング（ＢＬＫ）制御回路８２１と、直交電磁偏向器（ＥｘＢ）８２２、偏向制御回路８２３、機構系制御部８２５と、信号検出部（二次電子信号検出回路）８２７、画像処理部（二次電子信号処理回路）８２８、ステージ位置検出部（図示せず）、電子光学系制御部（図示せず）、ＧＵＩ部（ユーザインタフェース部）８２６、等を備える。
【００２２】
鏡筒８３０の内部（真空状態）において、電子銃８０１より生成・射出された電子ビームＡ２１は、第１コンデンサレンズ（集束レンズ）８０２、絞り８０３、第２コンデンサレンズ（集束レンズ）８０４を通じて集束され、偏向電極８０８を介してビームの照射中心に移動と走査偏向制御され、対物レンズ８０９等を経て試料８１０上を走査しながら照射される。ビームＡ２１（Ａ２４）が照射されると、試料８１０からは二次電子Ａ２１１が発生し、直交電磁偏向器（ＥｘＢ）８２２の偏向作用で検出器８０７の方に入射されて検出される。検出器８０７で検出された信号（アナログ信号）は、信号検出部８２７（二次電子信号検出回路）によってデジタル信号に変換される。そしてそのデジタル信号をもとに画像処理部８２８（二次電子信号処理回路）で二次元の画像が生成処理され、処理された結果がＧＵＩ部８２６の画面に表示される。この画像内に基づいて回路パターンが計測される（計測機能の場合）。
【００２３】
ＧＵＩ部８２６は、ユーザ（測定・検査者）に対するインタフェース（ＧＵＩ画面など）を提供する処理を行う。ＧＵＩ部８２６では、検査条件などを入力（設定）するＧＵＩ画面や、検査結果（二次元の画像など）を表示するＧＵＩ画面などを提供する。
【００２４】
全体制御部８２４は、ＧＵＩ部８２６での指示に従い、本システム（装置）の全体を制御する処理を行う。電子光学系制御部（図示せず）は、全体制御部８２４からの制御に従い、鏡筒８３０内の電子光学系（照射系）を制御する。機構系制御部８２５は、試料室８４０に設置された試料台８１２を駆動するモータ８４１等を含む機構系を制御する。モータ８４１の回転信号はステージ位置検出部（図示せず）に送られて、試料台（ステージ）８１２の位置情報が得られる。
【００２５】
図８に示したような、従来の走査型電子ビーム方式を用いた計測検査装置においては、例えば特許文献１にも記載されているように、一次ビームと二次ビームの分離手段として電流制御コイルで発生する磁界と電圧制御で発生する電界を直交する電磁偏向器（ＥｘＢ）が採用されている。
【００２６】
ここで、直交電磁偏向器（ＥｘＢ）８２２が一次ビーム・二次ビームに対する分離・偏向作用は、図３、図４、図５に用いて説明する。直交電磁偏向器（ＥｘＢ）は一般的に図３に示すようにＸ、Ｙ方向にそれぞれ配置して、二次ビームを任意の方向へ偏向できる。なお、図４と図５の説明では簡略化のため、Ｘ方向の電磁偏向器と電界偏向器およびそれぞれの制御回路のみを図示し、Ｙ方向は省略している。図４は直交電磁偏向器と二次ビームＡ２１１の俯瞰図である。図５は直交電磁偏向器と一次ビームＡ２１の俯瞰図である。
【００２７】
直交電磁偏向器の電界偏向器の電極８１６ｅと対向電極８１６ｆとの間に±Ｖｘ（Ｖ）の電位差を与えて電界Ｅを発生させると、加速電圧Ｖａｃｃの一次電子線Ａ２１は、発生する電界Ｅと同一方向に偏向する力を受けて、Ｖｅ／Ｖａｃｃに比例した角度θｅ＝Ｋｅ・Ｖｅ／Ｖａｃｃだけ偏向される。ここで、Ｖｅは、電界偏向器の電極間電圧であり、Ｋｅは電極８１６ｅおよび対向電極８１６ｆの形状や配置で決まる定数である。
【００２８】
一方、直交磁界発生コイル８１６ａ、８１６ｂに励磁電流Ｉｘ（Ａ）を流すと電界Ｅと直交する磁界Ｂが発生し、一次電子線Ａ２１はＩｘ／√Ｖａｃｃに比例した角度θｂ＝Ｋｂ・Ｉｘ／√Ｖａｃｃだけ電界による偏向とは逆向きに偏向される。ここで、Ｋｂは、直交磁界発生コイル８１６ａ、８１６ｂの形状や配置で決まる定数である。互いに直交する電界Ｅと磁界Ｂが同時に存在する場合には、電界Ｅと磁界Ｂによる力の合成で一次電子線の軌道が決まるため、θｅ＝θｂに選べば一次電子線は偏向作用を受けずに直進する。
【００２９】
一方、試料８１０から発生した二次電子（又は、反射電子）Ａ２１１は、一次電子Ａ２１と進行方向が逆向きであるため、電界と磁界とで同一方向、即ち、電極側に偏向される。偏向する角度は、二次電子（又は、反射電子）Ａ２１１のエネルギーに依存する。一次電子が偏向されない条件：θｅ＝θｂ、電圧Ｖｘと電流Ｉｂとの関係をＶｘ＝Ｋ・Ｖａｃｃ、Ｉｘ＝Ｋ・(Ｋｅ／Ｋｂ)・√Ｖａｃｃとすればよい。ここで、Ｋは、二次電子や反射電子の偏向角度を決める定数である。Ｖａｃｃが一定であれば、Ｖｘ＝Ｋｘ・Ｉｘの形に書き換えられる。この関係を満たす条件を、以下に「ウイン(Wien)条件」と呼ぶ。このウイン条件は、直交電磁偏向器が発生した電界と磁界が一次ビームへの影響を打ち消す条件である。Ｋｘは直交電磁偏向器の電極形状や配置、コイルの状や配置、一次ビームの加速速度に依存する。
【００３０】
図３に示すように直交電磁偏向器がＸ、Ｙ方向にそれぞれ配置して、二次ビームを任意の方向へ偏向できる場合は、ウイン条件は同じ方向の電界制御電圧と磁界制御電流間の関係以外、Ｘ方向の電圧とＹ方向の電流の間にも下記（式１）及び（式２）で示す制約条件ある。
【００３１】
（式１）：Ｖｘ＝Ｋ１・Ｉｘ＋Ｋ２・Ｉｙ
（式２）：Ｖｙ＝Ｋ３・Ｉｘ＋Ｋ４・Ｉｙ
これはＸ方向の電極、コイルとＹ方向の電極、コイルの製造・実装誤差に起因する。ここで、上記式中のＫ１、Ｋ２、Ｋ３、Ｋ４は以下の関係を満足する。すなわち、  ・Ｋ１＞＞Ｋ２、且つＫ１＞＞Ｋ３、且つＫ４＞＞Ｋ２、且つＫ４＞＞Ｋ３Ｋ１、Ｋ２、Ｋ３、Ｋ４は電極、コイルの製造・実装誤差に依存するから、装置に実装した後、最初に調整が必要である。
【００３２】
・電界により偏向量が加速電圧Ｖａｃｃに反比例、磁界により偏向量が加速電圧Ｖａｃｃのルートに反比例ので、一次ビームの加速電圧Ｖａｃｃに応じてＫ１、Ｋ２、Ｋ３、Ｋ４の調整が必要である。
【００３３】
そのため、従来の装置では、電界を制御する電圧の値と磁界を制御する電流の値との関係を任意に調整できるように、発生回路が別々に独立していることが特徴である。
【００３４】
ところで、電界偏向器を制御する電圧源回路と磁界偏向器を制御電流源回路において、回路構成素子で発生した回路ノイズが一次電子ビームの走査位置ずれを発生させることになる。
【００３５】
直交電磁偏向器の制御回路のノイズと一次電子ビームの走査ずれの関係について、図６、図７を用いて説明する。図６、図７では一段直交電磁偏向器のＸ方向を用いて説明するが、偏向器制御回路のノイズと一次電子ビームの走査ずれの関係については、多段直交電磁偏向器やＸ方向を用いた構成に限られるものではない。
【００３６】
図６に示す直交電磁偏向器において、試料（ウェハ）上の電子ビーム偏向量Ｌｅxは、電界により一次電子ビーム偏向感度がＳ_exであれば、以下の簡略式（式３）で与えられる。
【００３７】
（式３）：Ｌｅx＝Ｖｘ・Ｓ_ex
磁界により一次電子ビーム偏向量Ｌｂxは、以下の簡略式（式４）で与えられる。
【００３８】
（式４）：Ｌｂx＝Ｉｘ・Ｓ_ｂxとなる。
【００３９】
ウイン条件を満足するＶｘとＩｘであれば、
Ｖｘ＝Ｋ１・Ｉｘ、  Ｋ１・Ｓ_ex＝Ｓ_ｂx
Ｌｅx＝Ｌｂx、偏向方向逆であり、一次電子ビームの走査ずれはない。
【００４０】
一方、直交電磁偏向器の制御回路の回路ブロックに回路ノイズが存在すると、回路ノイズにより発生する電界と磁界の方向・大きさは、ウイン条件に満足できず、一次電子ビームの走査ずれは発生する。
【００４１】
例えば、図６、図７示すように、Ｘ方向電場制御電圧のノイズ８２３ｅがＮ_ECV_X、電界駆動電圧源回路のノイズ８２３ｆがＮ_EAmpV_Xであり、これらのランダム性ノイズに起因する一次電子ビームのずれ量は、
（式５）：Ｌ_ENX＝（（Ｎ_ECV_X×ＧＥ１＋Ｎ_EAmpV_X×ＧＥ２）×Ｓ_exの式で表される。
【００４２】
同じく、Ｘ方向磁場制御電圧のノイズ８２３ｇがＮ_BCV_X、磁界駆動電流源回路のノイズ８２３ｈがＮ_BAmpI_Xであり、これらのノイズに起因する一次電子ビームのずれ量は、
（式６）：Ｌ_BNX＝（（Ｎ_BCV_X×ＧＢ１＋Ｎ_BAmpI_X×ＧＢ２）×Ｓ_ｂxの式で表される。
【００４３】
ウイン条件に満足すれば、
ＧＥ１/ＧＢ１＝ＧＥ２/ＧＢ２＝Ｋ１、Ｋ１・Ｓ_ex＝Ｓ_ｂxの関係を満たす。
【００４４】
直交電磁偏向器に起因する一次電子ビームのずれ量は、
（式７）：Ｌ_EXBNX＝（（Ｎ_ECV_X − Ｎ_BCV_X）×ＧＢ１＋（Ｎ_EAmpV_X − Ｎ_BCV
_X）×ＧＢ２）×Ｓ_ｂxの式で表される。
【００４５】
電界制御電圧のノイズＮ_ECV_Xと磁界制御電圧のノイズＮ_BCV_Xは同相であれば打ち消しできるが、これらのノイズがランダム性であるので、発生する一次電子ビームずれ量の大きさは、以下の（式８）の実効値で表わされる。
【００４６】
（式８）  δＬ_EXBNX＝（（Ｎ_ECV_X２＋Ｎ_BCV_X２）×ＧＢ１２＋（Ｎ_EAmpV_X２＋Ｎ_BAmpI_X２）×ＧＢ２２）(0.5)×Ｓ_bxとなる。
上述したことから、直交電磁偏向器の制御回路のノイズにおいて、電界偏向器と磁界偏向器における無相関なノイズ成分が電子ビームの走査ずれの主要因である。
【００４７】
従って、電子ビームの走査ずれを低減するために、電界偏向器と磁界偏向器に印加する非無相関な回路ノイズを低減すること、及び電界偏向器と磁界偏向器に対して偏向制御回路の共通化を図ることが必要となる。
【００４８】
以下の実施例においては、直交電磁偏向器に用いた一次ビーム・二次ビーム分離手段について、電界によって二次電子を検出器側に偏向すると共に、この電界の一次電子線への影響を相殺し、且つ二次電子を検出器側に導くように電界と直交する方向に磁界を発生させる構成ことについて説明する。
【実施例１】
【００４９】
本実施例においては、直交電磁偏向器に用いた一次ビーム・二次ビーム分離手段について、電界偏向器を制御する電圧源回路と磁界偏向器を制御する電流源制御回路の制御信号生成部を共通化する構成と、磁界を制御する電流信号に基準として電界を制御する電圧信号がウイン条件に満足するように調整する構成について説明する。
【００５０】
本実施例における走査型電子ビーム方式の計測検査装置は、図８で説明した従来の走査型電子ビーム方式の計測検査装置の構成のうち、直交電磁偏向器において、電界偏向器と磁界偏向器を制御する直交電磁偏向器の制御回路の構成を、図１に示したような構成と置き換えたものである。従って、以下では、図１、８を用いて説明する。
【００５１】
直交電磁偏向器においては、二次電子・反射電子を検出器への方向へ偏向するため、直交する２方向(Ｘ方向とＹ方向)への偏向を互いに独立の制御するために、通常最低Ｘ、Ｙ方向それぞれの偏向電極と偏向コイルが必要である。
【００５２】
説明を簡略するため、図１では、Ｘ方向のみの電界偏向器と磁界偏向器およびそれらの電圧と電流制御回路のブロックをしか表示していない。Ｙ方向の構成は本実施例と同じである。
【００５３】
本実施例における走査型電子ビーム方式の計測検査装置の動作を図８に示した装置構成を用いて説明すると、鏡筒８３０の内部（真空）において、電子銃８０１より生成・射出された電子ビームＡ２１は、第１コンデンサレンズ（集束レンズ）８０２、絞り８０３、第２コンデンサレンズ（集束レンズ）８０４を通じて集束され、偏向電極８０８により形成された電界中を進んで偏向電極８０８に印加される偏向電圧に応じて電子ビームは走査偏向制御が行われ、対物レンズ８０９等を経て試料８１０上を走査しながら照射される。ビームＡ２４が照射されると、試料８１０からは二次電子Ａ２１１が発生し、直交電磁偏向器８１６の電界と磁界により二次電子Ａ２１１は偏向されて検出器８０７で検出される。検出器８０７で検出された信号（アナログ信号）は、信号検出部８２７（二次電子信号検出回路）によってデジタル信号に変換される。そしてそのデジタル信号をもとに画像処理部）８２８（二次電子信号処理回路）で二次元の画像が生成処理され、ＧＵＩ部８２６の画面に表示される。この画像内に基づいて回路パターンが計測される（計測機能の場合）。
【００５４】
次に、図１、８を用いて、本実施例の電界偏向器と磁界偏向器を制御する直交電磁偏向器の制御回路の構成を説明する。
【００５５】
一次電子ビームＡ２１の照射で試料８１０から発生した二次電子（あるいは、反射電子）Ａ２１１は、直交電磁偏向器８１６を構成する磁界偏向器１１６ａ、１１６ｂと電界偏向器１１６ｅ、１１６ｆからの力を受けて検出器８０７の方向に偏向され、検出される。検出される二次ビーム（二次電子・反射電子）Ａ２１１の偏向角度は、直交電磁偏向器８１６が発生した電界・磁界の強さと比例して、二次ビームＡ２１１のエネルギーと反比例する。試料からの二次電子や反射電子のエネルギーが異なって、実装位置が固定された検出器に入射するため、直交電磁偏向器８１６が発生した電界・磁界の大きさを直交電磁偏向器の制御回路３０２の出力電圧・出力電流を制御する。
【００５６】
一方、直交電磁偏向器８１６が発生した電界・磁界は一次電子ビームＡ２１の走査位置を影響しないように、電界を制御する電圧源回路の出力電圧Ｖｘと磁界を制御する電流源回路の出力電流のＩｘはウイン条件を満足する。
【００５７】
直交電磁偏向器の制御回路３０２は、電界・磁界共通電圧発生部３０２ａから二次ビームＡ２１１のエネルギーに応じた二次ビームの偏向角度を決定する電圧値３０２ａ１を生成する。生成した電圧値を磁界駆動電流源回路３０２ｃで磁界を制御する電流へ変換・増幅して、磁界偏向器１１６ａ、１１６ｂへ印加する。一方、電圧値３０２ａ１をゲイン調整手段３０２ｂで電界を制御する電圧源回路の出力電圧Ｖｘと磁界を制御する電流源回路の出力電流のＩｘはウイン条件を満足するように調整して、電界駆動電圧源回路３０２ｃで電界を制御する電圧へ増幅して、電界偏向器１１６ｅ、１１６ｆへ印加する。
【００５８】
このような構成で、従来の装置構成で一次電子ビームＡ２１の位置ずれを生じる直交電磁偏向器の制御回路ノイズの主要部分が、電界制御回路と磁界制御回路に対して共通化した同相成分になって、この部分のノイズに起因する電界と磁界の揺れ方向が逆方向で、大きさはウイン条件に満足する。さらに、電圧源制御信号の周波数特性および位相特性と電流源制御信号の周波数特性および位相特性と一致する。
【００５９】
よって、電磁偏向器制御回路の共通化回路ノイズに起因する一次電子ビームへの偏向力について、電界偏向器と磁界偏向器のノイズ部分は打ち消すことができ、一次電子ビームの位置ずれを低減できる。
【００６０】
以上、本実施例によれば、走査型電子ビーム方式の半導体（試料）の計測検査装置及び方法において、一次・二次電子を分離する手段の高電圧・大電流実現すると共に、一次ビームへの揺れ影響を最小限に抑制でき、分解能とスループットの向上を図ることができる。
【実施例２】
【００６１】
図２を用いて、本発明の実施例２の走査型電子ビーム方式の計測検査装置、及びそれを用いた計測検査方法について、従来例と比較しながら説明する。
【００６２】
本実施例では、一次・二次電子を分離して二次ビームを偏向する直交電磁偏向器が２段以上構成された手段を提供する。なお、図２では２段構成の場合を図示している。この２段構成二次ビーム偏向手段の特徴は、１段構成の二次ビーム偏向手段により一次電子ビームの色収差問題を解決できる点にある。
【００６３】
以下に、実施例２における構成と色収差の補正作用について説明する。
［計測検査装置（システム）］
本実施例２における計測検査装置を含んで成るシステム全体の構成を図２に示す。実施例２における計測検査装置１は、対象の半導体ウェハ（試料１１０）の自動計測および自動検査を可能とする適用例である。本計測検査装置１は、半導体ウェハ（試料１１０）の回路パターンにおける寸法値を計測する計測機能、及び同パターンにおける欠陥（異常や不良）を検出する検査機能を備える。
【００６４】
本計測検査装置（システム）１は、大きくは、走査型電子顕微鏡１００と、信号処理・制御用のコンピュータ２００で構成されている。
【００６５】
走査型電子顕微鏡１００は、カラム１５０と試料室１３０とを備え、試料室１３０の内部には、測定・検査の対象物である試料１１０を載置する試料台（ステージ）１１２、及びこの試料台を駆動するモータ１３１が設置されている。
【００６６】
走査型電子顕微鏡１００のカラム１５０内（真空）には、照射系（電子光学系）として、電子ビームＡ１を射出する電子銃１０１、射出された電子ビームＡ１が通る集束レンズ（第１コンデンサレンズ）１０２、絞り１０３、集束レンズ（第２コンデンサレンズ）１０４、ブランキング（ＢＬＫ）制御電極１０５、アパーチャ１０６、偏向器(電極)１２０、対物レンズ１０９等を有する。
【００６７】
また、カラム１５０は検出系として、照射された電子ビームＡ１（Ａ４）により試料１１０から発生した二次電子・反射電子Ａ１１を検出する検出器１０７、およびＡ１１を検出器１０７の方向へ偏向する二次電子・反射電子直交電磁偏向器１６０を備える。偏向器１７０は偏向器１６０により発生した一次電子ビームＡ１（Ａ４）の色収差を補正する直交電磁偏向器である。ここで、電子ビームＡ１、Ａ４（図示せず）はそれぞれ図８で示したＡ２１、Ａ２４に相当する。
【００６８】
コンピュータ２００は、例えば制御ラックにＰＣや制御ボードなどの形態で格納される構成である。コンピュータ２００の各部は、例えばプロセッサ及びメモリ等によるソフトウェアプログラム処理、あるいは専用回路の処理などで実現される。
【００６９】
コンピュータ２００には、全体制御部２１０と、ブランキング（ＢＬＫ）制御回路２０１と、電子ビームの位置シフトと偏向走査とを制御するイメージシフト・偏向制御回路２０６と、機構系制御部２３０と、信号検出部（二次電子信号検出回路）２０７と、画像処理部（二次電子信号処理回路）２０８と、ＧＵＩ部（ユーザインタフェース部）２５０、等を備える。
【００７０】
走査型電子顕微鏡１００のカラム１５０内（真空）において、電子銃１０１より生成・射出された電子ビームＡ１は、第１コンデンサレンズ（集束レンズ）１０２、絞り１０３、第２コンデンサレンズ（集束レンズ）１０４を通じて集束され、イメージシフトと走査一体化された偏向器１２０を介してビームの照射中心に移動と走査偏向制御され、対物レンズ１０９等を経て試料１１０上を走査しながら照射される。ビームＡ１（Ａ４）が照射されると、試料１１０からは二次電子Ａ１１が発生し、検出器１０７で検出される。検出器１０７で検出された信号（アナログ信号）は、信号検出部２０７（二次電子信号検出回路）によってデジタル信号に変換される。そしてそのデジタル信号をもとに画像処理部２０８（二次電子信号処理回路）で二次元の画像が生成処理され、ＧＵＩ画面で表示される。この画像内に基づいて回路パターンが計測される（計測機能の場合）。
【００７１】
ＧＵＩ部２５０は、ユーザ（測定・検査者）に対するインタフェース（ＧＵＩ画面など）を提供する処理を行う。ＧＵＩ部２５０では、検査条件などを入力（設定）するＧＵＩ画面や、検査結果（二次元の画像など）を表示するＧＵＩ画面などを提供する。ＧＵＩ部２５０は、キーボードやディスプレイ等の入出力装置や通信インタフェース部などを含む。ユーザは、ＧＵＩ画面で計測機能や検査機能を選択実行可能である。
【００７２】
全体制御部２１０は、ＧＵＩ部２５０での指示に従い、本システム（装置）の全体（電子光学制御部２２０、機構系制御部２３０、イメージシフト・偏向制御回路２０６、信号検出部２０７、画像処理部２０８、ステージ位置検出部等）を制御する処理を行う。例えば全体制御部２１０は、ＧＵＩ部２５０の画面でユーザにより入力された計測・検査条件や指示などに応じて、電子光学制御部２２０、イメージシフト・偏向制御回路２０６、機構系制御部２３０などを制御することで、計測の処理を行う。例えば全体制御部２１０は、計測の実行時、信号処理部２０７及び画像処理部２０８を通じて生成された二次元の画像などのデータ情報を受信し、ＧＵＩ部２５０の画面で表示させる。
【００７３】
電子光学制御部２２０は、全体制御部２１０からの制御に従い、カラム１００内の電子銃１０１、第１コンデンサレンズ（集束レンズ）１０２、絞り１０３、第２コンデンサレンズ（集束レンズ）１０４、ブランキング制御電極１０５、対物レンズ１０９等の電子光学系（照射系）を制御する。ブランキング制御回路２０１は、信号ラインを介してブランキング制御電極１０５を制御して、電子ビームＡ１の試料１１０への照射を停止するときには、電子ビームＡ１の軌道を曲げて電子ビームＡ１をアパーチャ１０６に照射させる。
【００７４】
イメージシフト・偏向制御回路２０６は、全体制御部２１０からの制御に従い、偏向器１２０に対して信号ライン（ｃ１、ｃ２）を通じて偏向制御信号を印加することにより、電子ビームの位置をシフトさせると共にこのシフトした位置における偏向による走査を制御する。
【００７５】
２段直交電磁偏向器３０３の制御部は、全体制御部２１０からの制御に従い、一次ビーム・二次ビーム分離する直交電磁偏向器１６０に対して信号ライン（ｂ１）を通じて二次ビーム偏向制御信号を印加することにより、二次電子・反射電子を検出器１０７の方向へ偏向させると共に、一次電子ビームの走査方向に影響を与えないような制御をする。
【００７６】
しかしながら、このような直交電磁界発生器は、ウィンフィルターエネルギー分光器と同等の作用により、一次電子線をエネルギー分散させることになるため、大きな偏向力の発生により、色収差の問題が大きくなる。そのため、２段直交電磁偏向器制御部３０３は、全体制御部２１０からの制御に従い、直交電磁偏向器１７０に対して信号ライン（ｂ２）を通じて一次電子ビーム色収差補正制御信号を印加することにより、直交電磁偏向器１６０が二次ビームを大きく偏向すると同時に生じた一次電子ビームの色収差を、逆電界と磁界の生成により補正を制御する。
【００７７】
図９は、本発明の実施例２に係る２段直交電磁偏向器３０３とその制御回路の構成を示すブロック図である。図９に示すように、２段直交電磁偏向器の上段偏向器１７０を制御する部分と下段偏向器１６０を制御する部分で構成する。一次電子ビームへの位置ずれ影響を最小限するために、各段制御回路の構成は実施例１で説明した構成と同じであり、電圧源回路と電流源回路の信号発生部を共通化する。
【００７８】
さらに、電圧源制御信号およびと電流源制御信号のそれぞれの周波数特性および位相特性を一致させる。よって、各段電磁偏向器制御回路の共通化回路ノイズに起因する一次電子ビームへの偏向力について、電界偏向器と磁界偏向器の部分は打ち消しができ、一次電子ビームの位置ずれを低減できる。
【００７９】
なお、周波数特性および位相特性を一致させる手段の一例としては、電圧源回路と電流源回路の周波数帯域や減衰特性が同じようになるように、それぞれの出力段にフィルタを設けることで、共通制御信号部で発生するノイズの位相・周波数特性を一致させることができる。
【００８０】
図２において、機構系制御部２３０は、試料室１３０に設置された試料台１１２を駆動するモータ１３１等を含む機構系を制御する。例えば、電子ビームの走査制御に対応させてモータ１３１を駆動して、試料台１１２を移動制御することが可能である。このとき、モータ１３１の回転信号はステージ位置検出部（図示せず）に送られて、試料台１１２の位置情報が得られる。
【００８１】
なお、図２のコンピュータ２００（全体制御部２１０等）において、計測機能と検査機能の両方を備えるが、一方のみ備える形態としてもよい。画像処理部２０８は、計測時（計測機能）の場合は、計測画像を生成し、当該画像内のパターン寸法値の計算などを行い、また、検査時（検査機能）の場合は、検査画像を生成し、当該画像内の欠陥を検出・判定する処理などを行う。
【００８２】
本実施例によれば、走査型電子ビーム方式の半導体（試料）の計測検査装置及び方法などに関して、スループットと計測精度の向上を実現するため、一次ビーム・二次ビーム分離手段として、２段構成の直交電磁偏向器で構成する。一次・二次電子を分離する手段の高電圧・大電流実現すると共に、一次ビームへの揺れ影響と収差を最小限に抑制でき、分解能とスループットの向上を図ることができる。
【実施例３】
【００８３】
実施例１で説明した構成では、直交電磁偏向器のＸ方向（或いはＹ方向）しか示していないが、本実施例における走査型電子ビーム方式の計測検査装置の構成は、直交電磁偏向器と制御回路をＸ、Ｙ両方向に設ける。
【００８４】
図１０は、本発明の実施例３に係る直交電磁偏向器の制御回路の構成を示すブロック図である。本図に示すように、実施例１で説明した直交電磁偏向器の制御回路は、Ｘ、Ｙ両方向の直交電磁偏向きの電界・磁界を制御する電圧源回路と電流源回路から構成される。各方向において、一次電子ビームへの位置ずれ影響を最小限にするために、電圧源回路と電流源回路の信号発生部を共通化する。さらに、電圧源制御信号の周波数特性および位相特性と、電流源制御信号の周波数特性および位相特性とが一致する。よって、各方向に対する直交電磁偏向器制御回路の共通化回路ノイズに起因する一次電子ビームへの偏向力について、電界偏向器と磁界偏向器の部分は打ち消しができ、一次電子ビームの位置ずれを低減できる。
【００８５】
本実施例によれば、走査型電子ビーム方式の半導体（試料）の計測検査装置及び方法などに関して、スループットと計測精度の向上を実現するため、一次ビーム・二次ビーム分離手段として、Ｘ、Ｙ方向のそれぞれを直交電磁偏向器で構成する。一次・二次電子を分離する手段の高電圧・大電流実現すると共に、一次ビームへの揺れ影響と収差を最小限に抑制でき、分解能とスループットの向上を図ることができる。
【実施例４】
【００８６】
実施例３で説明した構成では、直交電磁偏向器と制御回路をＸ、Ｙ両方向に設けるが、各方向の制御電圧と制御電流の制御は独立して行うことが特徴である。
【００８７】
本実施例における走査型電子ビーム方式の計測検査装置の構成では、直交電磁偏向器と制御回路をＸ、Ｙ両方向に設けている。且つ、Ｘ、Ｙ両方向の制御電圧と制御電流の制御は、独立ではないことが特徴である。これはＸ方向の電極、コイルとＹ方向の電極、コイルの製造・実装誤差によって、Ｘ、Ｙ方向で独立に発生した電磁界は直交することはないので、回転効果を補正することが必要である。
【００８８】
図１１は、本発明の実施例４に係る直交電磁偏向器の制御回路の構成を示すブロック図である。
【００８９】
図１１に示すように、直交電磁偏向器の制御回路は、Ｘ、Ｙ両方向の直交電磁偏向器の電界・磁界を制御する電圧源回路と電流源回路から構成される。
【００９０】
直交電磁偏向器制御回路３０５は、Ｘ方向用直交電磁偏向器制御部とＹ方向用電界・磁界直交電磁偏向器制御部から構成される。Ｘ方向用の直交電磁偏向器制御部は、Ｘ方向電界・磁界共通電圧発生部３０５ａから二次ビームのエネルギーに応じた二次ビームのＸ方向偏向角度を決定する電圧値３０５ａ１を生成する。Ｙ方向用の直交電磁偏向器制御部は、Ｙ方向電界・磁界共通電圧発生部３０５ｄから二次ビームのエネルギーに応じた二次ビームのＹ方向偏向角度を決定する電圧値３０５ｄ１を生成する。生成したＸ方向共通電圧値３０５ａ１をＸ方向磁界駆動電流源回路３０５ｂでＸ方向磁界を制御する電流へ変換・増幅して、Ｘ方向磁界偏向器へ印加する。生成したＹ方向共通電圧値３０５ｄ１をＹ方向磁界駆動電流源回路３０５ｅでＹ方向磁界を制御する電流へ変換・増幅して、Ｙ方向磁界偏向器へ印加する。
【００９１】
一方、Ｘ方向偏向器とＹ方向偏向器の回転効果を補正するため、Ｘ方向電界を制御する電圧源回路の出力電圧Ｖｘは、Ｘ方向共通電圧値３０５ａ１とＹ方向共通電圧値３０５ｄ１を、それぞれゲイン調整手段３０５ｇと３０５ｈでの調整結果を加算し、その値を電界駆動電圧源回路３０５ｃへ入力し、電界駆動電圧源回路３０５ｃで電界を制御する電圧へ増幅してＸ方向電界偏向器へ印加する。
【００９２】
同様に、Ｘ方向偏向器とＹ方向偏向器の回転効果を補正するため、Ｙ方向電界を制御する電圧源回路の出力電圧ＶｙはＸ方向共通電圧値３０５ａ１とＹ方向共通電圧値３０５ｄ１を、それぞれゲイン調整手段３０５ｉと３０５ｊでの調整結果を加算し、その値を電界駆動電圧源回路３０５ｆへ入力し、電界駆動電圧源回路３０５ｆで電界を制御する電圧へ増幅して、Ｙ方向電界偏向器へ印加する。
【００９３】
このような構成で、Ｘ、Ｙ方向電磁偏向器の回転効果がある場合にも、一次電子ビームの位置ずれを生じる電磁偏向器制御回路ノイズの主要部分が、電界制御回路と磁界制御回路に対して共通化した同相成分になって、この部分のノイズに起因する電界と磁界の揺れ方向が逆方向で、大きさはウイン条件に満足する。さらに、電圧源制御信号の周波数特性および位相特性と電流源制御信号の周波数特性および位相特性とを一致させる。
【００９４】
本実施例によれば、走査型電子ビーム方式の半導体（試料）の計測検査装置及び方法などに関して、スループットと計測精度の向上を実現するため、一次ビーム・二次ビーム分離手段として、Ｘ、Ｙ方向電磁偏向器の回転効果を補正できる直交電磁偏向器で構成する。一次・二次電子を分離する手段の高電圧・大電流実現すると共に、一次ビームへの揺れ影響と収差を最小限に抑制でき、分解能とスループットの向上を図ることができる。
【００９５】
以上、本発明者によってなされた発明を実施の形態に基づき具体的に説明したが、本発明は前記実施の形態に限定されるものではなく、その要旨を逸脱しない範囲で種々変更可能であることは言うまでもない。
【００９６】
上記構成による、本発明の荷電粒子ビーム装置の主な特徴は以下の通りである。
（１）  荷電粒子ビームを生成する荷電粒子銃と、
該荷電粒子銃から放出された荷電粒子ビームをステージに載置した試料上に照射して走査する電子光学系と、
前記試料から発生する二次電子、または反射電子を検出する検出部と、
前記二次電子、または反射電子の進路を前記検出部の方向へ偏向させる直交電磁偏向部と、を有し、
前記直交電磁偏向部は、磁界を発生させて前記荷電粒子ビームの軌跡を変化させる磁界偏向器と、電界を発生させて前記荷電粒子ビームの軌跡を変化させる電界偏向器と、前記磁界偏向器に電流を供給する電流源回路と、前記電界偏向器に電圧を供給する電圧源回路と、前記電流と前記電圧との関係を調整するゲイン調整部と、を備え、
前記磁界偏向器と前記電界偏向器は、前記磁界と前記電界とが互いに直交し重畳するように配置され、
前記電流源回路に電圧を印加する電圧発生部と、前記電圧源回路に電圧を印加する電圧発生部とが一つに共通化され、
前記ゲイン調整部により、前記磁界により進路が偏向される量と前記電界により進路が偏向される量とが一致するように、前記電流と前記電圧との関係が調整される、ことを特徴とする荷電粒子ビーム装置。
（２）  荷電粒子ビームを生成する荷電粒子銃と、
該荷電粒子銃から放出された荷電粒子ビームをステージに載置した試料上に照射して走査する電子光学系と、
前記試料から発生する二次電子、または反射電子を検出する検出部と、
前記二次電子、または反射電子の進路を前記検出部の方向へ偏向させる直交電磁偏向部と、を有し、
前記直交電磁偏向部は、前記荷電粒子銃から放出される荷電粒子ビームの進路方向に交わる第１の方向に電界および磁界のそれぞれを印加する第１の電界偏向器及び第１の磁界偏向器と、前記第１の方向に直交する第２の方向に電界および磁界のそれぞれを印加する第２の電界偏向器及び第２の磁界偏向器と、前記第１及び第２の磁界偏向器のそれぞれに電流を供給する第１及び第２の電流源回路と、前記第１及び第２の電界偏向器のそれぞれに電圧を供給する第１及び第２の電圧源回路と、前記電流と前記電圧との関係を調整する第１及び第２のゲイン調整部と、をそれぞれ備え、
前記第１及び第２の磁界偏向器は、磁界を発生させて前記荷電粒子ビームの軌跡を変化させ、前記第１及び第２の電界偏向器は、電界を発生させて前記荷電粒子ビームの軌跡を変化させ、
前記第１及び第２の磁界偏向器と前記第１及び第２の電界偏向器は、それぞれの磁界と電界とが互いに直交し重畳するように配置され、
前記第１の電流源回路に電圧を印加する電圧発生部と、前記第１の電圧源回路に電圧を印加する電圧発生部とが一つに共通化された第１の電圧発生部と、
前記第２の電圧源回路に電圧を印加する電圧発生部と、前記第２の電圧源回路に電圧を印加する電圧発生部とが一つに共通化された第２の電圧発生部と、を有し、
前記第１の電圧発生部と前記第２の電圧発生部とは互いに独立して電圧を制御し、
前記第１のゲイン調整部により、前記第１の磁界偏向器により磁界の進路が偏向される量と前記第１の電界偏向器の電界により進路が偏向される量とが一致するように、前記電流と前記電圧との関係が調整され、
前記第２のゲイン調整部により、前記第２の磁界偏向器により磁界の進路が偏向される量と前記第２の電界偏向器の電界により進路が偏向される量とが一致するように、前記電流と前記電圧との関係が調整される、ことを特徴とする荷電粒子ビーム装置。
【符号の説明】
【００９７】
１…計測検査装置（システム）、
１００…走査型電子顕微鏡（カラム）、
１０１…電子銃、
１０２…第１コンデンサレンズ（集束レンズ）、
１０３…絞り、
１０４…第２コンデンサレンズ（集束レンズ）、
１０５…ブランキング（ＢＬＫ）制御電極、
１０６…アパーチャ、
１０７…検出器（二次電子・反射電子検出器）、
１０９…対物レンズ、
１１０…試料、
１１２…試料台（ステージ）、
１２０…偏向器、
１６０…直交電磁偏向器、
２００…コンピュータ（信号処理系）、
２０１…ブランキング（ＢＬＫ）制御回路、
２０６…イメージシフト・偏向制御回路、
２０７…信号検出部（二次電子信号検出回路）、
２０８…画像処理部（二次電子信号処理回路）、
２１０…全体制御部、
２２０…電子光学制御部、
２３０…機構系制御部、
２５０…ＧＵＩ部、
３０３…直交電磁偏向器、
３０２…直交電磁偏向器の制御回路。
【図１】
2018029089.tif 000003
【図２】
2018029089.tif 000004
【図３】
2018029089.tif 000005
【図４】
2018029089.tif 000006
【図５】
2018029089.tif 000007
【図６】
2018029089.tif 000008
【図７】
2018029089.tif 000009
【図８】
2018029089.tif 000010
【図９】
2018029089.tif 000011
【図１０】
2018029089.tif 000012
【図１１】
2018029089.tif 000013